(57)【特許請求の範囲】
【請求項１】
カード載置部と、
前記カード載置部からカードを一枚毎に水平に取り出して搬送する搬送部と、
前記搬送部の上方に、前記カードの表面文字を消す熱量を発生する第１のヒータ部と、
前記第１のヒータ部の位置に対応する下方に設けられ、前記第１のヒータ部の下面に前記カードが押しつけられるまで上昇するカード押上げ部と、
前記搬送方向に沿って前記搬送部に近設され、前記カードを搬送しながら前記カードの表面文字を消す熱量を発生させる第２のヒータ部と
を有することを特徴とするカード表面文字消去装置。
【請求項２】
前記第２のヒータ部はハロゲンローラであって、前記カードを搬送しながら前記カードの表面文字を消す熱量を発生させることを特徴とする請求項１記載のカード表面文字消去装置。
【請求項３】
前記第１のヒータ部と前記カード載置部との間の搬送部に設置され、前記カードの取り出しを検出するセンサと、
前記センサがカードの取り出しを検出すると、前記カード押上げ部に対して所定時間、上昇させる駆動信号を送出し、前記所定時間の経過に伴って、前記駆動信号を停止させて前記カード押上げ部を下降させる搬送制御演算部と
を有することを特徴とする請求項１又は２記載のカード表面文字消去装置。
【請求項４】
前記搬送部は前記カードを水平に載置するカード載置部及び該カード載置部から前記カードを搬送させるためのベルトを有し、該ベルトは、前記カード厚みの半分程度の突起が垂設されていることを特徴とする請求項１記載のカード表面文字消去装置。
【請求項５】
前記搬送部の前記カード載置部側のベルトを支持しているローラ部は下降することを特徴とする請求項４記載のカード表面文字消去装置。
【請求項６】
前記搬送制御演算部は、前記後段の状態を監視し、前記後段の状態がカードを受けとられない状態の場合は、受けとりが可能になるまで前記ローラ部を下降させることを特徴とする請求項３又は５記載のカード表面文字消去装置。
【発明の詳細な説明】
【０００１】
【発明の属する技術分野】
本発明は、カードの表面に印字されている文字を自動的に消去するカード表面文字消去装置に関する。
【０００２】
【従来の技術】
一般的にスキー場のリフト乗り場は非常に混雑する。この混雑を整理して、リフトへのスキーヤーの流れを円滑にするために、かつリフトへの不正搭乗等を防止する等のために、リフト乗り場には、その改札ゲート付近に改札係が配置されている。
【０００３】
この改札係は、改札ゲートを通過するスキーヤーの腕等にホルダにより担持されているリフト券の数字をパンチ等で穴開けした後に、リフトにスキーヤーを誘導していた。
【０００４】
しかし、このような改札業務は、冬季の野外という環境で行うため改札係にとっては非常に辛い仕事でもあった。
【０００５】
また、非常に混雑するスキー場では、一つのリフト乗り場に複数のリフトを設けるのが一般的である。このような場合は、改札も複数となり、その改札数に応じた員数を配置しなければならないので人件費も非常にかかる。
【０００６】
このようなことから、近年は、図７に示すように、発信機能付きの非接触ＩＣカードにスキー場のリフト券の情報（スキー場名、年月日、券種、金額、会社コード等）を書込んだリフト券カードを、スキーヤーの腕等に担持させ、改札ゲートにてリフト券カードの情報を非接触で自動的に読込んで改札するスキー場自動改札システムを配置したスキー場もある。
【０００７】
このリフト券カードは、例えば一日券用のリフト券カード１ａ、半日券用のリフト券カード１ｂ、回数券用のリフト券カード１ｃ、ナイター券用のリフト券カード１ｄ等の種類がある。これらのリフト券カードは、表面にはスキー場名と、年月日と、券種と、金額と（以下総称して印字情報という）がサーマル記録紙で印字されていると共に、内部に同様な情報（以下内部情報という）が記憶されている。また、リフト券カードは、それぞれ表裏の色が異なっている。
【０００８】
図７に示すスキー場自動改札システムは、文字及び内部情報が書込まれていない非接触ＩＣカード２（表裏の色等が異なる）に所定のリフト券情報を書込んだリフト券カード１ａ、１ｂ、１ｃ、１ｄを発券するリフトカード発券機５を販売所に配置している。
【０００９】
また、ゲレンデには、挿入されたリフト券カード１ａ、１ｂ、１ｃ、１ｄが自スキー場のものであれば、表面の印字情報をヒータにより消去すると共に、内部情報を消去したＩＣカード２にして、内部に設けられている回収箱４に投入した後に、預かり代金を返却するリフト券回収機５等を配置している。
【００１０】
さらに、改札ゲートには、スキーヤーがゲートを通過する都度、リフト券カード１ａ、１ｂ、１ｃ、１ｄの内部情報を非接触で自動的に読込んで通過を許可するゲート機８ａ、８ｂ……とを配置している。
【００１１】
リフトカード発券機７には、券種に対応するストッカー６ａ、６ｂ、６ｃ、６ｄが設けられている。これらのストッカーは、例えば、一日券はストッカー６ａ、半日券はストッカー６ｂ、回数券はストッカー６ｃ、ナイター券はストッカー６ｄにそれぞれ挿入するようにされている。
【００１２】
このようなリフトカード発券機７は、初めは販売所の係員は、メーカー側から配布された印字情報及び内部情報が書込まれていない複数のＩＣカード２をリフトカード発券機７のストッカー６ａ、６ｂ、６ｃ又は６ｄに挿入して所望のリフト券情報を印字させると共に、内部に記憶して発券させていた。
【００１３】
そして、所定期間経過したとき係員がリフト券回収機５の回収箱４を販売所に持ち込んで、複数のＩＣカード２をリフトカード発券機７のストッカー６ａ、６ｂ、６ｃ又は６ｄに挿入して所望のリフト券情報を印字させると共に、内部にリフト券情報を記憶した新たなリフト券カード１ａ、１ｂ、１ｃ、１ｄを発券していた。
【００１４】
【発明が解決しようとする課題】
しかしながら、リフト券カードの表面文字の消去は、リフト券回収機によって消去していたが、時間が経過すると、ＩＣカードは水滴を多量に帯びていたり、冷えきっている場合があり、カード表面文字が不十分な場合がある。
【００１５】
従って、従来のカード発券機は、カード表面文字を消去する機能がないので、表面に文字を印字できないという問題点があった。
【００１６】
本発明は以上の問題点を解決するためになされたもので、カード上の水滴量が多くても、かつ冷えきっていても完全に表面文字を消去できるカード表面文字消去装置を得ることを目的とする。
【００１７】
【課題を解決するための手段】
請求項１のカード表面文字消去装置は、カード載置部と、前記カード載置部からカードを一枚毎に水平に取り出して搬送する搬送部と、前記搬送部の上方に、前記カードの表面文字を消す熱量を発生する第１のヒータ部と、前記第１のヒータ部の位置に対応する下方に設けられ、前記第１のヒータ部の下面に前記カードが押しつけられるまで上昇するカード押上げ部と、前記搬送方向に沿って前記搬送部に近設され、前記カードを搬送しながら前記カードの表面文字を消す熱量を発生させる第２のヒータ部とを備えたことを要旨とする。
【００１８】
請求項１においては、カードがカード載置部に載置されると、搬送部によってカードが一枚毎に水平に取り出されて第１のヒータ部に搬送される。そして、カード押上げ部により、カードがヒータ部の下面に押しつけられる。
【００１９】
そして、搬送されたカードが第２のヒータ部によってカード表面文字が消される。
【００２０】
請求項２は、前記第２のヒータ部はハロゲンローラであって、前記カードを搬送しながら前記カードの表面文字を消す熱量を発生させることを要旨とする。
【００２１】
第３の請求項は、  前記第１のヒータ部と前記カード載置部との間の搬送部に設置され、前記カードの取り出しを検出するセンサと、前記センサがカードの取り出しを検出すると、前記カード押上げ部に対して所定時間、上昇させる駆動信号を送出し、前記所定時間の経過に伴って、前記駆動信号を停止させて前記カード押上げ部を下降させる搬送制御演算部とを備えたことを要旨とする。
【００２２】
請求項３においては、カード載置部にカードが載置され、搬送部によってカードが一枚毎に水平に取り出されてベルトに乗せられて第１のヒータ部側に搬送される。そして、センサによりカードの取り出しが検出されると、搬送制御演算部がカード押上げ部を所定の間、第１のヒータ部の下面に押しつけた後に、カード押し上部を下降させる。このため、カードはカードの表面文字を消す熱量を発生する第２のヒータ部に搬送される。
【００２３】
請求項４は、前記搬送部は前記カードを水平に載置するカード載置部及び該カード載置部から前記カードを搬送させるためのベルトを有し、該ベルトは、前記カード厚みの半分程度の突起が垂設されていることを要旨とする。
【００２４】
請求項４においては、搬送部のベルトが回転すると、ベルトに垂設されたカード厚みの半分程度の突起がカード載置部の最下位置のカードに当たって、カードを取り出す。
【００２５】
つまり、カード載置部の底面に蓄積されたカードが搬送部のベルトの爪により、一枚毎に取り出されて搬送される。
【００２６】
このとき、後段がカードを受けられない状態であると、ローラ下降駆動部がカード載置部側のローラを下降させて、カードの搬送を停止させる。
【００２７】
請求項５は、前記搬送部の前記カード載置部側のベルトを支持しているローラ部は下降することを要旨とする。
【００２８】
請求項５においては、何等かの異常でカードを搬送できなくなった場合には直にカードの搬送が停止される。
【００２９】
つまり、後段がカードを受けられない状態であると、ローラ下降駆動部がカード載置部側のローラを下降させて、カードの搬送を停止させる。
【００２９】
請求項６は、前記搬送制御演算部は、前記後段の状態を監視し、前記後段の状態がカードを受けとられない状態の場合は、受けとりが可能になるまで前記ローラ部を下降させること要旨とする。
【００３０】
請求項６においては、後段の状態がカードを受けとられない状態の場合は、受けとりが可能になるまでローラ部が下降させられ、ベルトに突起があっても、カードの搬送が停止される。
【００３１】
【発明の実施の形態】
図１は本発明の実施の形態のカード表面文字消去装置の機構の斜視図である。
図１のカード表面文字消去装置１０は、前段から投函されたカード３を一枚毎に取り出して搬送しながら表面を多重加熱して表面文字を消去するものである。
【００３２】
この前段というのは、例えば、複数のカード３を立てた状態で一枚毎に搬送しながら自動的に表側を上にして整頓するカード自動整頓装置１２にされている。
【００３３】
カード自動整頓装置１２は、カード３を立てた状態で搬送する垂直搬送路部１４と、カード３を立てた状態で受け止め、このカード３をカード表面文字消去装置１０上に設けられたスタッカ１６に、カード３が表側になるように投函する反転機１７等からなるカード表整頓部１８等からなっている。
【００３４】
スタッカ１６はカード３を所定枚数蓄積する構造にされて、反転機１７に近接するカード表面文字消去装置１０の端部に設けれている。
【００３５】
また、スタッカ１６は、周囲が仕切り板で形成され、大きさがカード３と同程度の四角形にされている。
【００３６】
さらに、スタッカ１６の底面は、二枚の底板１９、２０によって中央が解放されている。また、後述するヒータ側の仕切り板２１は、二枚の底板１９、２０からカード３の厚み程度の距離を有して取り付けられている。
【００３７】
そして、カード表面文字消去装置１０は、図１に示すように、反転機１７からスタッカ１６に投函されるカード３の投函方向に設けられている。
【００３８】
このカード表面文字消去装置１０は図１に示すように、スタッカ１６の底面から投函方向にカード３を搬送する搬送ベルト機構部２２と、搬送ベルト機構部２２の上に設けられたヒータ部２３と、ヒータ部２３とスタッカ１６との間に設けられ、カード３の取り出しを知らせるセンサ２４と、搬送ベルト機構部２２の搬送端側に並設されたハロゲンローラ２５、２６と、搬送ベルト機構部２２のベルト２８内に納められ、ベルト２８を挟んでヒータ部２３に近設されたヒータガイド３０と、ハロゲンローラ２５、２６の下に、カード厚み程度離されて設けられたローラ３２、３４等からなっている。
【００３９】
ヒータ部２３は、ベルト２８の上方に、カード３の厚みより離されて設けられ、下面からカード３の表面文字を消す熱量を発生する。
【００４０】
ハロゲンローラ２５、２６は、内部にカード３の表面文字を消す熱量を発生するハロゲン発熱線を備えて搬送ベルト機構部２２に近設され、カード３を後段に搬送させる方向に回転する。
【００４１】
ヒータガイド３０は、例えば、図２に示すように凹形状にされ、上昇したときに中央の溝３１をベルト２８が通過する。また、このヒータガイド３０は、カードが搭載される搭載面３３の縁にカードの搬送を押える突起３５を有している。
【００４２】
ベルト２８は、図１に示すように、スタッカ１６内のカード３を一枚毎に取り出して搬送させる爪２９がベルトに垂設されて所定の間隔を置いて複数取り付けられている。
【００４３】
また、このカード表面文字消去装置１０には、以下に説明するモータが設けられている。図３はカード表面文字消去装置１０の側面図である。
【００４４】
図３に示すように、搬送ベルト機構部２２の一方（スタッカ１６側）のローラ３６の下方には、ローラ３６に連結されたローラアップダウンモータ３８が設けられている。このローラアップダウンモータ３８は、後述するダウン駆動信号が入力しているときは、ローラ３６を下降させてスタッカ１６からのカード３の搬送を停止させる。また、ダウン信号が停止すると、ローラ３６を上昇させてスタッカ１６からカード３を搬送させる。
【００４５】
搬送ベルト機構部２２の他方のローラ４０の下方には、ローラ４０に連結された搬送用モータ４２が設けられている。この搬送用モータ４２は、後述する搬送駆動信号に基づいて、ローラ４０を正方向に回転させてカード３を搬送させる。
【００４６】
さらに、ヒータガイド３０の下方には。ヒータガイド３０に連結されたガイドアップダウンモータ４４が設けられている。このガイドアップダウンモータ４４は、後述するガイドアップ駆動信号が入力しているときは、ガイド３０を上昇させてカード３を載置させ、このカード３の表面文字を消去させる。
【００４７】
また、ガイドアップ駆動信号が停止しているときは、ヒータガイド３０を下降させて、カード３を搬送させる。
【００４８】
一方、ハロゲンローラ２５、２６側のローラ３２、３４の下方にはヒートローラモータ４６が設けられている。このヒートローラモータ４６は、ハロゲンローラ２５、２６に連結され、これらを搬送方向に回転させて、搬送ベルト機構部２２から搬送されて来たカード３を後段のスタッカ５０に投函する。
【００４９】
このようなカード表面文字消去装置１０は、図４に示すような、ホッパに投函され、ホッパから落下させられたカード３を立てた状態で一枚毎に搬送しながら自動的に表側を上にして整頓するカード自動整頓装置１２と、搬送されたカード３を水平に受けて重ねて蓄積し、そのカードを一枚毎に搬送しながら、内部情報を非接触で消去した後に、発券情報を非接触で記憶すると共に、発券情報に応じた文字を表面に印字したリフト券カードを発券するリード／ライト搬送路部５２との間に取り付けられたカード発券機５４にされるのが望ましい。
【００５０】
また、このカード発券機５４はリフト券カードの発券が所定時間内に終わるように、各部を制御するコンピュータ回路部５６と、各部のモータに所定の駆動信号を出力するドライバー回路部５８と（総称して搬送演算部ともいう）を備えている。このコンピュータ回路部５６は、少なくともカード表面文字消去装置１０の各モータを制御しながらヒータガイド３０を上下動させてカード３の表面文字を消去させる表面文字消去制御手段と、後段の状態に応じてローラアッダウンモータ３８を制御してカード３の搬送を停止させる搬送停止手段とを備えている。
【００５１】
上記のようなカード表面文字消去装置について動作を説明する。図５はカード表面文字消去装置の動作を説明するフローチャートである。例えば、図７に示した回収機５によって回収されたカード３がカード発券機５４のカード自動整頓装置１２のホッパにバラバラに投入されて電源が投入されると、コンピュータ回路部５６の表面文字消去制御手段は、カード表面文字消去装置１０の搬送用の各モータを駆動させる（Ｓ５０１）。この駆動というのは、ドライバ回路部５６から搬送駆動信号を出力させて搬送用モータ４２を駆動させてベルト２８を回転させる。
【００５２】
また、カード自動整頓装置１２は、ホッパから一枚毎に落下して来るカードを立脚状態で受けて搬送しながら自動的に表側を上にして表整頓部１８のスタッカ１６に蓄積整頓している。
【００５３】
このスタッカ１６の底面は、二枚の底板１９、２０によって中央が解放されている。また、スタッカ１６のヒータ側の仕切り板２１は、二枚の底板１９、２０からカード３の厚み程度の距離を有して取り付けられている。このため、搬送ベルト機構部２２の搬送用モータ４２によってベルト２８が回転すると、図６に示すように、ベルト２８に設けられた爪２９によってスタッカ１６の最下位置にある１枚のカード３が引っ掛けられてヒータ部２３側に搬送される。
【００５４】
また、コンピュータ回路部５６の表面文字消去制御手段は、各モータを駆動させた後に、ヒータ部２３の近傍に設けられたセンサ２４からの信号を読み、カード３が取り出されたかどうかを監視する（Ｓ５０３）。
【００５５】
そして、ステップＳ５０３でカード３の取り出しを検出すると、ドライバー回路部５８からアップ駆動信号を所定の間、ガイドアップダウンモータ４４に出力させてヒータガイド３０を上昇させる（Ｓ５０５）。
【００５６】
このヒータガイド３０の上昇により、搬送された来たカード３はヒータガイド３０の突起３５によって押えられ、搭載面３３に乗ってヒータ部２３の底面に押しつけられ表面文字が消去される。
【００５７】
次に、ヒート時間ｔが予め設定されている時間ｔａになったかどうかを判定し（Ｓ５０７）、時間ｔａになったときは、ドライバー回路部５８からのアップ駆動信号を停止してヒータガイド３０を下降させて元の位置に戻す（Ｓ５０９）。
【００５８】
そして、電源オフかどうかを判定し（Ｓ５１１）、電源オフでないときは処理をステップＳ５０３に戻して、ストッカ１６のカードを搬送させながらヒータ部２３に押しつける。
【００５９】
しかし、ストッカ１６には、スキー場で使用した直後のカード（以下回収直後という）というのは、冷えきっていたり、水滴が付着していたりする。このようなカードをヒータ部２３に押しつけたとしても、表面文字は消去されない場合がある。
【００６０】
そこで、図１に示すように、本カード表面文字消去装置１０はヒータ部２３の後方にハロゲンローラ２５、２６を設けている。
【００６１】
ステップＳ５０９の処理によって、ヒータガイド３０とヒータ部２３とが離れ、カード３がハロゲンローラ２５、２６側に搬送されると、このハロゲンローラ２５、２６を通過するカード３はローラ３２、３４によって押しつけられながら後段に搬送される。
【００６２】
即ち、ハロゲンローラ２５、２６に内蔵されているハロゲンランプによってカード３が再度加熱される。従って、ヒータ部２３によって表面文字が消去されないカードが搬送されて来ても、このハロゲンローラ２５、２６で消去される。
【００６３】
また、コンピュータ回路部５６の搬送停止制御手段は、後段のスタッカ５０内にカード３が所定枚数蓄積された場合、又は後段の搬送路部の搬送タイミングに異常が発生した場合は、ドライバー回路部５６からローラアップダウンモータ３８にダウン駆動信号を送出させてローラ３６を下降させる。
【００６４】
このローラ３６の下降によって、搬送ベルト機構部２２は図５の点線で示すような状態になるので、ストッカ１６からはカードが取り出されない。
【００６５】
そして、後段のスタッカ５０内にカード３が所定枚数以下になった場合、又は後段の搬送路部の搬送タイミングの異常が解消した場合は、ローラアップダウンモータ３８へのダウン駆動信号を停止させて、ローラ３６を上昇させて元に復帰させる。即ち、後段の状況を把握しながらカード３を搬送している。
【００６６】
なお、上記説明では、リフト券カードの発券に用いるカード発券機に用いるとしたが、他の非接触のカードを発券させるカード発券機に適用してもよい。
【００６７】
【発明の効果】
以上のように請求項１のカード表面文字消去装置によれば、第１のヒータ部と第２のヒータ部とにより、カードの表面に熱が加えられるので、カード上の水滴量が多くても、かつ冷えきっていても完全に表面文字を消去できるという効果が得られている。
【００６８】
つまり、一枚毎に搬送されたカードは第１のヒータ部と第２のヒータ部とによってカードが二重加熱されることにより、水滴量が多かったり、冷えきっていて第１のヒータ部で表面文字が消去されなくとも、カードの搬送スピードを落とすことなく、この第２のヒータ部で表面文字が消去されるという効果が得られている。
【００６９】
請求項３によれば、センサがカードの取り出しを検出すると、搬送制御演算部がカード押上げ部を所定時間上昇させた後に、所定時間の経過に伴って、カード押上げ部を下降させることにより、ほぼ所定時間で表面文字を消去したカードを後段に搬送させることができるという効果が得られている。
【００７０】
請求項４によれば、搬送部のベルトは、カード厚みの半分程度の突起を該ベルトの縁に対して垂設しているので、カード載置部から確実に一枚毎にカードを取り出すことができるという効果が得られている。
【００７１】
請求項５によれば、搬送部のカード載置部側のベルトを支持しているローラ部が下降できるようにしたので、カードの搬送も停止できるという効果が得られている。
【００７２】
請求項６によれば、搬送制御演算部は、後段の状態がカードを受けとられない状態の場合は、受けとりが可能になるまでローラ部を下降させる。
【００７３】
このため、後段の状態を考慮した搬送が可能となるという効果が得られている。
【図面の簡単な説明】
【図１】  本発明の実施の形態のカード表面文字消去装置の機構の斜視図である。
【図２】  ヒータガイドの斜視図である。
【図３】  カード表面文字消去装置の側面図である。
【図４】  カード発券機の概略構成図である。
【図５】  カード表面文字消去装置の動作を説明するフローチャートである。
【図６】  搬送ベルト機構部のスタッカからの取り出しを説明する側面図である。
【図７】  従来のリフトカード発券機を用いたスキー場自動改札システムの説明図である。
【符号の説明】
１ａ  一日券用のリフト券カード
１ｂ  半日券用のリフト券カード
１ｃ  回数券用のリフト券カード
１ｄ  ナイター券用のリフト券カード
３  カード
１６  スタッカ
２２  搬送ベルト機構部
２３  ヒータ部
２４  センサ
２５  ハロゲンローラ
２６  ハロゲンローラ
２８  ベルト
３０  ヒータガイド
【図１】
0003810845.tif 000002
【図２】
0003810845.tif 000003
【図３】
0003810845.tif 000004
【図４】
0003810845.tif 000005
【図５】
0003810845.tif 000006
【図６】
0003810845.tif 000007
【図７】
0003810845.tif 000008